(57)【要約】【課題】取扱いが容易であり、その組立て操作が簡単で、袋本体２Ａを開閉するための開閉蓋部２Ｂを有して、確実に薬剤を容れておくことができる薬袋用シートを提供すること。【解決手段】表面基材４および裏面基材５の周縁部を互いに貼り合わせ可能な周縁部粘着剤層８を設けることに着目したもので、表面基材４に接着する再剥離粘着剤層６と、再剥離粘着剤層６に仮着するとともに周縁部粘着剤層８に接着する剥離紙７と、を積層し、剥離紙７、周縁部粘着剤層８および裏面基材５の端部を取り除いて袋本体２Ａおよび開閉蓋部２Ｂを形成可能とする切取り線１３の部分で薬剤収容空間部１２を開放可能とし、切取り線１３から外方側に位置することになる表面基材４および再剥離粘着剤層６を開閉蓋部２Ｂとして、袋本体２Ａにおける裏面基材５に向かって折り曲げ可能とすることを特徴とする。【選択図】図１
2010052785.tif 000002
【特許請求の範囲】
【請求項１】
患者に関する患者情報、およびこの患者に投与する薬剤に関する薬剤情報を印字可能なシート状の表面基材と、
この表面基材に裏打ち可能であるとともに、この薬剤に関する注意情報を印字可能なシート状の裏面基材と、を有し、
これら表面基材および裏面基材の内方部に薬剤収容空間部を形成可能な薬袋用シートであって、
前記表面基材および前記裏面基材それぞれの周縁部を互いに貼り合わせ可能な周縁部粘着剤層を設け、
前記表面基材とこの周縁部粘着剤層との間に、前記表面基材に接着する再剥離粘着剤層と、この再剥離粘着剤層に仮着するとともにこの周縁部粘着剤層に接着する剥離紙と、を積層し、
前記剥離紙、前記周縁部粘着剤層および前記裏面基材のそれぞれの端部を取り除いて、互いに隣り合う袋本体および開閉蓋部を形成可能とする切取り線を、前記周縁部粘着剤層より前記薬剤収容空間部側に位置して形成することによって、前記薬剤収容空間部を開放可能とし、
この切取り線から外方側に位置することになる前記表面基材および前記再剥離粘着剤層を前記開閉蓋部として、前記袋本体における前記裏面基材に向かって折り曲げ可能とすることを特徴とする薬袋用シート。
【請求項２】
前記切取り線に対向する前記表面基材に折曲げ線としてミシン目を形成することを特徴とする請求項１記載の薬袋用シート。
【請求項３】
患者に関する患者情報、およびこの患者に投与する薬剤に関する薬剤情報を印字可能なシート状の表面基材と、
この表面基材に裏打ち可能であるとともに、この薬剤に関する注意情報を印字可能なシート状の裏面基材と、を有し、
これら表面基材および裏面基材の内方部に薬剤収容空間部を形成可能な薬袋用シートであって、
前記表面基材および前記裏面基材それぞれの周縁部を互いに貼り合わせ可能な周縁部粘着剤層を設け、
この周縁部粘着剤層、前記表面基材および前記裏面基材のそれぞれの端部を取り除き可能とする切取り線を、この周縁部粘着剤層より前記薬剤収容空間部側に位置して形成することによって、前記薬剤収容空間部を開放可能とするとともに、
この切取り線から前記薬剤収容空間部より内方側に位置する折曲げ線において互いに隣り合う袋本体および開閉蓋部を形成可能とし、
この折曲げ線より前記薬剤収容空間部の外方側に位置する前記表面基材および前記裏面基材を前記開閉蓋部として、この折曲げ線より前記薬剤収容空間部の内方側に位置する前記表面基材および前記裏面基材による前記袋本体に向かって折り曲げ可能とすることを特徴とする薬袋用シート。
【請求項４】
前記患者情報、前記薬剤情報および前記注意情報のそれぞれの印字領域はこれらを、
前記折曲げ線より前記薬剤収容空間部の内方側に位置させることを特徴とする請求項３記載の薬袋用シート。
【発明の詳細な説明】
【技術分野】
【０００１】
本発明は薬袋用シートにかかるもので、とくに薬剤を収容するとともに、患者情報や薬剤情報を印字可能な薬袋用シートに関するものである。
【背景技術】
【０００２】
従来から、医師が処方する薬剤は、専用の薬袋に容れられて患者に手渡されるのが一般的である。
しかしながら、たとえば特許文献１による台紙なしの薬袋用粘着シートでは、折り線においてその表裏面を折り曲げて袋状とするために、その組立て操作に手間がかかるとともに、台紙を用いないために、その貼り合わせのための粘着剤として天然ゴム系のものを使用していることから、接着作業に大きな力が必要になるという問題がある。
【０００３】
さらに、袋状の本体に薬剤を容れても、開閉用の蓋がないと、中から薬剤がこぼれ落ちてしまうという問題がある。
【０００４】
【特許文献１】特開２００３−２９１９８１号公報
【発明の開示】
【発明が解決しようとする課題】
【０００５】
本発明は以上のような諸問題にかんがみなされたもので、取扱いが容易であるとともに、その組立て操作が簡単な薬袋用シートを提供することを課題とする。
【０００６】
また本発明は、袋本体を開閉するための開閉蓋部を有して、確実に薬剤を容れておくことができる薬袋用シートを提供することを課題とする。
【０００７】
また本発明は、袋本体を開閉するための開閉蓋部を再剥離粘着剤などにより袋本体に脱着可能とした薬袋用シートを提供することを課題とする。
【０００８】
また本発明は、連続帯状のシート材として形成し、任意のプリンターに装填して、患者および薬剤に応じて、患者情報、薬剤情報および注意情報などを適宜印字可能な薬袋用シートを提供することを課題とする。
【課題を解決するための手段】
【０００９】
すなわち本発明は、袋本体および開閉蓋部を切取り線あるいは折曲げ線を境にして形成可能とすること、さらに、表面基材および裏面基材それぞれの周縁部を互いに貼り合わせ可能な周縁部粘着剤層を設けることに着目したもので、第一の発明は、患者に関する患者情報、およびこの患者に投与する薬剤に関する薬剤情報を印字可能なシート状の表面基材と、この表面基材に裏打ち可能であるとともに、この薬剤に関する注意情報を印字可能なシート状の裏面基材と、を有し、これら表面基材および裏面基材の内方部に薬剤収容空間部を形成可能な薬袋用シートであって、上記表面基材および上記裏面基材それぞれの周縁部を互いに貼り合わせ可能な周縁部粘着剤層を設け、上記表面基材とこの周縁部粘着剤層との間に、上記表面基材に接着する再剥離粘着剤層と、この再剥離粘着剤層に仮着するとともにこの周縁部粘着剤層に接着する剥離紙と、を積層し、上記剥離紙、上記周縁部粘着剤層および上記裏面基材のそれぞれの端部を取り除いて、互いに隣り合う袋本体および開閉蓋部を形成可能とする切取り線を、上記周縁部粘着剤層より上記薬剤収容空間部側に位置して形成することによって、上記薬剤収容空間部を開放可能とし、この切取り線から外方側に位置することになる上記表面基材および上記再剥離粘着剤層を上記開閉蓋部として、上記袋本体における上記裏面基材に向かって折り曲げ可能とすることを特徴とする薬袋用シートである。
【００１０】
上記切取り線に対向する上記表面基材に折曲げ線としてミシン目を形成することができる。
【００１１】
第二の発明は、患者に関する患者情報、およびこの患者に投与する薬剤に関する薬剤情報を印字可能なシート状の表面基材と、この表面基材に裏打ち可能であるとともに、この薬剤に関する注意情報を印字可能なシート状の裏面基材と、を有し、これら表面基材および裏面基材の内方部に薬剤収容空間部を形成可能な薬袋用シートであって、上記表面基材および上記裏面基材それぞれの周縁部を互いに貼り合わせ可能な周縁部粘着剤層を設け、この周縁部粘着剤層、上記表面基材および上記裏面基材のそれぞれの端部を取り除き可能とする切取り線を、この周縁部粘着剤層より上記薬剤収容空間部側に位置して形成することによって、上記薬剤収容空間部を開放可能とするとともに、この切取り線から上記薬剤収容空間部より内方側に位置する折曲げ線において互いに隣り合う袋本体および開閉蓋部を形成可能とし、この折曲げ線より上記薬剤収容空間部の外方側に位置する上記表面基材および上記裏面基材を上記開閉蓋部として、この折曲げ線より上記薬剤収容空間部の内方側に位置する上記表面基材および上記裏面基材による上記袋本体に向かって折り曲げ可能とすることを特徴とする薬袋用シートである。
【００１２】
上記患者情報、上記薬剤情報および上記注意情報のそれぞれの印字領域はこれらを、上記折曲げ線より上記薬剤収容空間部の内方側に位置させることができる。
【００１３】
上記裏面基材の裏面には、当該薬袋用シートを任意のプリンターに装填した際の位置決め用マークをあらかじめ印刷しておくことができる。
【００１４】
上記切取り線は、これをミシン目あるいはスリットとすることができる。
【発明の効果】
【００１５】
本発明による薬袋用シートにおいては、袋本体および開閉蓋部を切取り線あるいは折曲げ線を境にして形成可能とするとともに、表面基材および裏面基材それぞれの周縁部を互いに貼り合わせ可能な周縁部粘着剤層を設けるようにしたので、この周縁部粘着剤層の内方側を切断すれば、周縁部粘着剤層に囲まれた状態の薬剤収容空間部の一方の端部を開口部としてこれを開放可能とし、この開口部から薬剤を収容可能とし、さらに、開閉蓋部を閉鎖可能であって、各種情報の印字を行うとともに、袋本体の形成が簡単かつ取扱いが容易であり、また、開閉蓋部があるために内容物としての薬剤が袋本体から不用意にこぼれ落ちてしまうおそれがない。
【００１６】
とくに第一の発明によれば、表面基材に接着する再剥離粘着剤層と、再剥離粘着剤層に仮着するとともに周縁部粘着剤層に接着する剥離紙と、を積層し、切取り線により剥離紙、周縁部粘着剤層および裏面基材のそれぞれの端部を取り除いて、互いに隣り合う袋本体および開閉蓋部を形成可能としたので、切取り線から外方側に位置することになる表面基材および再剥離粘着剤層を開閉蓋部として、袋本体における裏面基材に向かって折り曲げ、再剥離粘着剤により開閉蓋部を裏面基材（袋本体）に貼り付けて、薬剤収容空間部の開口部を確実に閉鎖可能である。
【００１７】
とくに第二の発明によれば、表面基材、周縁部粘着剤層および裏面基材のそれぞれの端部を取り除き可能とする切取り線を、周縁部粘着剤層より薬剤収容空間部側に位置して形成することによって、薬剤収容空間部を開放可能とし、切取り線から薬剤収容空間部より内方側に位置する折曲げ線において互いに隣り合う袋本体および開閉蓋部を形成可能としたので、折曲げ線より薬剤収容空間部の外方側に位置する表面基材および裏面基材を開閉蓋部として、折曲げ線より薬剤収容空間部の内方側に位置する表面基材および裏面基材による袋本体に向かって折り曲げ、薬剤収容空間部を閉鎖可能であり、薬剤を確実に収容しておくことができる。
【発明を実施するための最良の形態】
【００１８】
本発明は、表面基材および裏面基材それぞれの周縁部を周縁部粘着剤層により互いに貼り合わせるとともに、袋本体および開閉蓋部を切取り線あるいは折曲げ線を境にして形成可能としたので、開閉蓋部を有し、かつ取扱いが簡単で、組立て操作が容易な薬袋用シートを実現した。
【実施例】
【００１９】
つぎに本発明の第１の実施例（第一の発明）による薬袋用シートを図１ないし図４にもとづき説明する。
図１は、当該薬袋用シートを連続状に接続して帯状の薬袋用シート材１として形成した例を示す平面図であって、薬袋用シート材１は、複数枚の薬袋用シート２を有し、それぞれの薬袋用シート２に分離して単葉形態とするための分離線３において任意のカッター装置（図示せず）による切断、あるいは分離線３をミシン目などから形成して手動による切取り操作を可能としている。
図２は、図１のＩＩ−ＩＩ線断面図、図３は、図１のＩＩＩ−ＩＩＩ線断面図であって、薬袋用シート２は、表面基材４と、裏面基材５と、これらの間に積層する再剥離粘着剤層６、剥離紙７および周縁部粘着剤層８と、を有する。
【００２０】
表面基材４は、任意の紙材あるいは合成樹脂材などから構成するシート部材であって、その表面に患者に関する患者情報（患者の姓名や受付け番号など）、およびこの患者に投与する薬剤に関する薬剤情報（薬剤の名称、用途、用量、用法、形状など、および薬局の名称、住所、電話番号などの薬局に関する情報、さらに調剤日や薬剤師の押印欄など）を印字可能な表面印字領域９を有している。
裏面基材５は、表面基材４と同様のシート部材であって、表面基材４に裏打ち可能であるとともに、薬剤に関する注意情報（薬剤に応じた諸注意事項）を印字可能な裏面印字領域１０を有している。
なお、裏面基材５の裏面には、薬袋用シート材１ないしは薬袋用シート２を任意の印字方式によるプリンター（両面プリンターあるいは片面プリンターのいずれでもよい、図示せず）に装填した際の、薬袋用シート２の同プリンターにおける印字部に対する位置決め用マーク１１をあらかじめ印刷しておくことができる。
【００２１】
再剥離粘着剤層６は、表面基材４と周縁部粘着剤層８との間において、表面基材４の裏面側にこれを接着して積層するもので、弱粘着性を有し、後述する開閉蓋部２Ｂ（図４）の裏面基材５に対する再剥離および再貼付けを可能とする。
剥離紙７は、その表面に剥離剤を塗布してあって再剥離粘着剤層６の裏面側にこれを仮着するとともに、その裏面側を周縁部粘着剤層８に接着して積層する。
周縁部粘着剤層８は、表面基材４および裏面基材５それぞれの周縁部の全周をめぐり所定の幅で互いに貼り合わせ可能であって、これら表面基材４および裏面基材５の内方部に薬剤収容空間部１２を形成可能である。
【００２２】
当該薬袋用シート２には、切取り線１３および折曲げ線１４を形成している。
切取り線１３は、とくに図３に示すように、周縁部粘着剤層８より内方側すなわち薬剤収容空間部１２側に位置してこれを形成するもので、剥離紙７、周縁部粘着剤層８および裏面基材５の厚さ方向にこれを形成し、剥離紙７、周縁部粘着剤層８および裏面基材５のそれぞれの端部７Ａ、８Ａ、５Ａを取り除き可能としている。
図４は、この端部７Ａ、８Ａ、５Ａを取り除いた状態の、図３と同様の断面図である。
図４に示すように、切取り線１３および折曲げ線１４を境にして互いに隣り合う袋本体２Ａおよび開閉蓋部２Ｂを形成可能とするとともに、薬剤収容空間部１２を開放可能として、その開口部１２Ａから薬剤を収容可能とすることができる。
なお、切取り線１３はこれを、ミシン目あるいはスリットとすることができるし、必要であれば、プリンターに装備したカッター装置（図示せず）によりこの部分を切断するように構成することもできる。
【００２３】
折曲げ線１４は、上記開閉蓋部２Ｂを袋本体２Ａに対して折り曲げ可能とするもので、切取り線１３に対向する表面基材４に、たとえばミシン目によりこれを構成することができる。
すなわち、この折曲げ線１４に対応する切取り線１３から外方側に位置することになる表面基材４および再剥離粘着剤層６を開閉蓋部２Ｂとして、袋本体２Ａにおける裏面基材５に向かって折り曲げ可能とする。
【００２４】
こうした構成の薬袋用シート２（薬袋用シート材１）において、単葉形態の薬袋用シート２あるいは連続形態の薬袋用シート材１を任意のプリンター（図示せず）に装填して、表面印字領域９および裏面印字領域１０に必要な情報を印字し、切取り線１３の部分から端部５Ａ、端部８Ａおよび端部７Ａを取り除いて、袋本体２Ａおよび開閉蓋部２Ｂを形成するとともに薬剤収容空間部１２の開口部１２Ａを開口し、袋本体２Ａの薬剤収容空間部１２内に必要な薬剤を収容可能とする。
さらに、開閉蓋部２Ｂを折曲げ線１４の部分で袋本体２Ａ方向（裏面基材５方向）に折り曲げて、開閉蓋部２Ｂの裏面側に位置する再剥離粘着剤層６を裏面基材５の裏面側に貼り付ければ、薬剤収容空間部１２を閉鎖しておくことができる。
また再剥離粘着剤層６は、再剥離性を有しているために、必要なときに開閉蓋部２Ｂを袋本体２Ａ（裏面基材５）からはがして薬剤収容空間部１２から薬剤を取り出すことができる。
【００２５】
かくして、すでに内部に薬剤収容空間部１２を内在している表面基材４および裏面基材５を切取り線１３において開放するだけで薬袋（袋本体２Ａ）およびその開閉蓋部２Ｂを形成可能であって、取扱いおよび作成操作が容易である。
【００２６】
図５は、本発明の第２の実施例（第二の発明）による当該薬袋用シートを連続状に接続して帯状の薬袋用シート材２０として形成した例を示す平面図であって、薬袋用シート材２０は、前述した薬袋用シート材１（図１）と同様に、複数枚の薬袋用シート２１を有し、それぞれの薬袋用シート２１に分離して単葉形態とするための分離線３において任意のカッター装置（図示せず）による切断、あるいは手動による切取り操作を可能としている。
図６は、図５のＶＩ−ＶＩ線断面図、図７は、図５のＶＩＩ−ＶＩＩ線断面図であって、薬袋用シート２１は、既述の薬袋用シート２（図１ないし図４）におけると同様な構成を有する前記表面基材４、裏面基材５、およびこれらの間に積層する周縁部粘着剤層８を有する。
【００２７】
当該薬袋用シート２１には、切取り線２２および折曲げ線２３を形成している。
切取り線２２は、表面基材４および裏面基材５の厚さ方向に形成する、たとえばミシン目によりこれを構成し、とくに図５に示すように、表面基材４、周縁部粘着剤層８および裏面基材５のそれぞれの端部４Ａ、８Ａ、５Ａを取り除き可能とする。
すなわち、切取り線２２を周縁部粘着剤層８より薬剤収容空間部１２側に位置して形成することによって薬剤収容空間部１２を開放可能とし、その開口部１２Ａを形成可能とする。
【００２８】
折曲げ線２３は、表面基材４および裏面基材５の厚さ方向に形成する、たとえばミシン目によりこれを構成している。
折曲げ線２３は、切取り線２２から薬剤収容空間部１２より内方側に位置するもので、切取り線２２により表面基材４、周縁部粘着剤層８および裏面基材５の端部４Ａ、８Ａ、５Ａを取り除いたあとに、この折曲げ線２３において互いに隣り合う袋本体２１Ａおよび開閉蓋部２１Ｂを形成可能とする。
すなわち、折曲げ線２３より薬剤収容空間部１２の外方側に位置する表面基材４および裏面基材５を開閉蓋部２１Ｂとして、折曲げ線２３より薬剤収容空間部１２の内方側に位置する表面基材４および裏面基材５による袋本体２１Ａに向かって折り曲げ可能としている。
【００２９】
なお、患者情報、薬剤情報および注意情報のそれぞれの印字領域（表面印字領域９および裏面印字領域１０）はこれらを、折曲げ線２３より薬剤収容空間部１２の内方側に位置させ、開閉蓋部２１Ｂを折り曲げた際に、上記各情報が裏側に隠れてしまわないようにしている。
【００３０】
こうした構成の薬袋用シート２１（薬袋用シート材２０）においても、第１の実施例による薬袋用シート２（薬袋用シート材１）と同様に、表面基材４および裏面基材５に必要な情報（患者情報、薬剤情報および注意情報）を印字したのち、切取り線２２の部分で端部５Ａ、端部８Ａおよび端部４Ａを取り除き、折曲げ線２３で開閉蓋部２１Ｂを袋本体２１Ａの裏面基材５方向に折り曲げることができる。
【００３１】
したがって、薬袋用シート２１においては、薬袋用シート２のように開閉蓋部２Ｂを裏面基材５の裏面に一時的ないし仮に貼り付けておくことはできないが、開閉蓋部２１Ｂを形成することができるので、薬剤を確実に収容可能である。
また、薬袋用シート２のように、剥離紙７および再剥離粘着剤層６を設けていないので、より簡略化した構成とすることができる。
【図面の簡単な説明】
【００３２】
【図１】本発明の第１の実施例（第一の発明）による薬袋用シート２を連続状に接続して帯状の薬袋用シート材１として形成した例を示す平面図である。
【図２】同、図１のＩＩ−ＩＩ線断面図である。
【図３】同、図１のＩＩＩ−ＩＩＩ線断面図である。
【図４】同、剥離紙７、周縁部粘着剤層８および裏面基材５の端部７Ａ、８Ａ、５Ａを取り除いた状態の、図３と同様の断面図である。
【図５】本発明の第２の実施例（第二の発明）による薬袋用シート２１を連続状に接続して帯状の薬袋用シート材２０として形成した例を示す平面図である。
【図６】同、図５のＶＩ−ＶＩ線断面図である。
【図７】同、図５のＶＩＩ−ＶＩＩ線断面図である。
【符号の説明】
【００３３】
１  薬袋用シート材
２  薬袋用シート（第１の実施例、第一の発明、図１）
２Ａ  薬袋用シート２の袋本体
２Ｂ  薬袋用シート２の開閉蓋部
３  分離線
４  表面基材
４Ａ  表面基材４の端部（図７）
５  裏面基材
５Ａ  裏面基材５の端部（図３）
６  再剥離粘着剤層
７  剥離紙
７Ａ  剥離紙７の端部（図３）
８  周縁部粘着剤層
８Ａ  周縁部粘着剤層８の端部（図３）
９  表面印字領域
１０  裏面印字領域
１１  位置決め用マーク
１２  薬剤収容空間部
１２Ａ  薬剤収容空間部１２の開口部（図４）
１３  切取り線
１４  折曲げ線
２０  薬袋用シート材
２１  薬袋用シート（第２の実施例、第二の発明、図５）
２１Ａ  薬袋用シート２１の袋本体（図７）
２１Ｂ  薬袋用シート２１の開閉蓋部（図７）
２２  切取り線
２３  折曲げ線
【図１】
2010052785.tif 000003
【図２】
2010052785.tif 000004
【図３】
2010052785.tif 000005
【図４】
2010052785.tif 000006
【図５】
2010052785.tif 000007
【図６】
2010052785.tif 000008
【図７】
2010052785.tif 000009